(57)【要約】【課題】静翼に付着した汚れを好適に洗浄することができる多段軸流ブロア等のターボ型流体機械の洗浄装置を提供する。【解決手段】回転軸３と、動翼群４と、動翼群４と対向して設けられる静翼群５と、を備える多段軸流ブロア１の洗浄装置１０において、動翼群４に取り付けられる洗浄ユニット１５と、洗浄ユニット１５に設けられ、動翼群４の動翼７に洗浄ユニット１５を取り付けるための取付部１６と、を備え、洗浄ユニット１５は、隣接する動翼７同士の間に設けられる筐体２０と、筐体２０の内部に設けられ、洗浄液を溜める洗浄液タンク２１と、筐体２０の内部に設けられ、洗浄液を圧送する洗浄液ポンプ２２と、筐体２０から外部に突出して設けられ、静翼群５に向けて洗浄液を噴射する洗浄ノズル２３と、洗浄ノズル２３を伸縮させる伸縮機構２４と、を有する。【選択図】図３
2016196839.tif 000002
【特許請求の範囲】
【請求項１】
回転軸を中心として周方向に所定の間隔を空けて配置される複数の動翼を有する動翼群と、前記回転軸の軸方向において、前記動翼群と対向して設けられ、前記回転軸を中心として周方向に所定の間隔を空けて配置される複数の静翼を有する静翼群と、を備えるターボ型流体機械の洗浄装置において、
前記動翼群に取り付けられる洗浄ユニットと、
前記洗浄ユニットに設けられ、前記動翼群の前記動翼に前記洗浄ユニットを取り付けるための取付部と、を備え、
前記洗浄ユニットは、
隣接する前記動翼同士の間に設けられる筐体と、
前記筐体の内部に設けられ、洗浄液を溜める洗浄液タンクと、
前記筐体の内部に設けられ、前記洗浄液を圧送する洗浄液ポンプと、
前記筐体から外部に突出して設けられ、前記静翼群に向けて前記洗浄液を噴射する洗浄ノズルと、
前記洗浄ノズルを伸縮させる伸縮機構と、を有することを特徴とするターボ型流体機械の洗浄装置。
【請求項２】
前記伸縮機構は、前記洗浄ノズルを、隣接する前記静翼同士の間の位置まで伸ばすことを特徴とする請求項１に記載のターボ型流体機械の洗浄装置。
【請求項３】
前記伸縮機構は、前記洗浄ノズルを、前記静翼に接触しない位置まで伸ばすことを特徴とする請求項１に記載のターボ型流体機械の洗浄装置。
【請求項４】
前記伸縮機構は、隣接する前記動翼同士の間において、前記筐体が延在する方向に、前記洗浄ノズルを伸縮させることを特徴とする１から３のいずれか１項に記載のターボ型流体機械の洗浄装置。
【請求項５】
前記伸縮機構は、前記回転軸の軸方向に沿って、前記洗浄ノズルを伸縮させることを特徴とする１から３のいずれか１項に記載のターボ型流体機械の洗浄装置。
【請求項６】
前記ターボ型流体機械を流通する流体の流通方向において、前記洗浄ノズルは、前記洗浄ユニットの前流側の側面及び後流側の側面の少なくとも一方の側面に設けられると共に、前記回転軸の径方向に複数並べて設けられることを特徴とする請求項１から５のいずれか１項に記載のターボ型流体機械の洗浄装置。
【請求項７】
前記伸縮機構は、複数の前記洗浄ノズルを縮めたときの収容位置に比して、複数の前記洗浄ノズルを伸ばしたときの洗浄位置が、前記静翼の径方向に広がるように、前記各洗浄ノズルを異なる伸縮方向に伸ばすことを特徴とする請求項１から６のいずれか１項に記載のターボ型流体機械の洗浄装置。
【請求項８】
前記洗浄ノズルは、前記洗浄ユニットの径方向内側の面に設けられ、
前記伸縮機構は、前記洗浄ノズルを、前記静翼の径方向内側へ向かって伸ばすことを特徴とする請求項１から７のいずれか１項に記載のターボ型流体機械の洗浄装置。
【請求項９】
前記洗浄ノズルは、前記伸縮機構によって伸縮しながら、前記洗浄液を噴射することを特徴とする請求項１から８のいずれか１項に記載のターボ型流体機械の洗浄装置。
【請求項１０】
前記洗浄ノズルは、前記伸縮機構によって伸ばされた後、前記洗浄液を噴射することを特徴とする請求項１から８のいずれか１項に記載のターボ型流体機械の洗浄装置。
【請求項１１】
前記伸縮機構により伸縮される前記洗浄ノズルの伸縮方向を回動軸として、前記洗浄ノズルを回転させるノズル回転機構を、さらに備えることを特徴とする請求項１から１０のいずれか１項に記載のターボ型流体機械の洗浄装置。
【発明の詳細な説明】
【技術分野】
【０００１】
本発明は、動翼及び静翼を有するターボ型流体機械の洗浄装置に関するものである。
【背景技術】
【０００２】
従来、動翼及び静翼を有するターボ型流体機械として、高炉の送風に用いられる、動翼及び静翼を有する多段軸流ブロアがある。この多段軸流ブロアの動翼及び静翼には、汚れが付着する。汚れが付着すると、動翼及び静翼を含む翼体の断面形状が新品投入時から変化してしまう。特に、翼体の前縁部及び後縁部の断面形状が変化することで、空気が翼体に対して流入する流入角及び流出する流出角が変化し、翼体の空力性能が低下する恐れがある。
【０００３】
ここで、動翼および静翼の付着物を洗浄する装置として、例えば、ケーシングに設けられた抽気スリットより挿入されたノズルから洗浄液を動翼の前縁部に向けて噴射する洗浄装置が知られている（例えば、特許文献１参照）。
【先行技術文献】
【特許文献】
【０００４】
【特許文献１】特開２００８−１５１０３０号公報
【発明の概要】
【発明が解決しようとする課題】
【０００５】
しかしながら、ターボ型流体機械の静翼は、静止部材であることから、特許文献１に記載の洗浄装置では、洗浄液を一部の静翼にしか噴射することができず、周方向に配置される複数の静翼を全周に亘って洗浄することは困難である。
【０００６】
そこで、本発明は、静翼に付着した汚れを好適に洗浄することができるターボ型流体機械の洗浄装置を提供することを課題とする。
【課題を解決するための手段】
【０００７】
本発明のターボ型流体機械の洗浄装置は、回転軸を中心として周方向に所定の間隔を空けて配置される複数の動翼を有する動翼群と、前記回転軸の軸方向において、前記動翼群と対向して設けられ、前記回転軸を中心として周方向に所定の間隔を空けて配置される複数の静翼を有する静翼群と、を備えるターボ型流体機械の洗浄装置において、前記動翼群に取り付けられる洗浄ユニットと、前記洗浄ユニットに設けられ、前記動翼群の前記動翼に前記洗浄ユニットを取り付けるための取付部と、を備え、前記洗浄ユニットは、隣接する前記動翼同士の間に設けられる筐体と、前記筐体の内部に設けられ、洗浄液を溜める洗浄液タンクと、前記筐体の内部に設けられ、前記洗浄液を圧送する洗浄液ポンプと、前記筐体から外部に突出して設けられ、前記静翼群に向けて前記洗浄液を噴射する洗浄ノズルと、前記洗浄ノズルを伸縮させる伸縮機構と、を有することを特徴とする。
【０００８】
この構成によれば、取付部により洗浄ユニットを動翼に取り付け、回転軸を回転させながら、洗浄ノズルから静翼群に向けて洗浄液を噴射することで、静翼群を全周に亘って洗浄することができる。このとき、伸縮機構により洗浄ノズルを適宜伸縮させることで、洗浄ノズルから噴射される洗浄液の噴射範囲を広げることができ、広範囲な洗浄が可能となる。なお、洗浄ノズルは、筐体に対して、前縁側及び後縁側の少なくとも一方に設けてもよい。
【０００９】
また、前記伸縮機構は、前記洗浄ノズルを、隣接する前記静翼同士の間の位置まで伸ばすことが、好ましい。
【００１０】
この構成によれば、隣接する静翼の間にまで洗浄ノズルを伸ばすことができるため、より広範囲な洗浄を行うことができる。なお、洗浄ノズルは、静翼を洗浄する度に、静翼１つ分だけ回転軸を回転させて静翼を洗浄し、また、回転軸の回転時には、洗浄ノズルが静翼に接触しないように、伸縮機構により縮められる。
【００１１】
また、前記伸縮機構は、前記洗浄ノズルを、前記静翼に接触しない位置まで伸ばすことが、好ましい。
【００１２】
この構成によれば、洗浄ノズルを、静翼に接触しない位置まで伸ばすことができるため、広範囲な洗浄が可能となり、また、回転軸を回転させても、洗浄ノズルが静翼に接触しないことから、複数の静翼を全周に亘って連続して洗浄することができる。
【００１３】
また、前記伸縮機構は、隣接する前記動翼同士の間において、前記筐体が延在する方向に、前記洗浄ノズルを伸縮させることが、好ましい。
【００１４】
この構成によれば、洗浄ノズルの伸縮方向を長くとることができるため、洗浄ノズルをより遠くに伸ばすことができる。
【００１５】
また、前記伸縮機構は、前記回転軸の軸方向に沿って、前記洗浄ノズルを伸縮させることが、好ましい。
【００１６】
この構成によれば、回転軸の軸方向に沿った方向に洗浄ノズルの伸縮させることができる。このとき、伸縮機構は、洗浄ノズルの伸縮方向を長くとるために、テレスコピック式の伸縮機構であってもよい。
【００１７】
また、前記ターボ型流体機械を流通する流体の流通方向において、前記洗浄ノズルは、前記洗浄ユニットの前流側の側面及び後流側の側面の少なくとも一方の側面に設けられると共に、前記回転軸の径方向に複数並べて設けられることが、好ましい。
【００１８】
この構成によれば、洗浄ノズルを、回転軸の径方向に複数並べて設けることで、静翼の径方向において、洗浄液を噴射することができる。
【００１９】
また、前記伸縮機構は、複数の前記洗浄ノズルを縮めたときの収容位置に比して、複数の前記洗浄ノズルを伸ばしたときの洗浄位置が、前記静翼の径方向において広がるように、前記各洗浄ノズルを異なる伸縮方向に伸ばすことが、好ましい。
【００２０】
この構成によれば、収容位置から洗浄位置にかけて、複数の洗浄ノズルが広がるように伸びることで、静翼の径方向において、洗浄液を広範囲に噴射することができる。
【００２１】
また、前記洗浄ノズルは、前記洗浄ユニットの径方向内側の面に設けられ、前記伸縮機構は、前記洗浄ノズルを、前記静翼の径方向内側へ向かって伸ばすことが、好ましい。
【００２２】
この構成によれば、洗浄ユニットの径方向内側の面から、洗浄ノズルを伸ばすことができるため、静翼の径方向内側に洗浄液を噴射することができる。
【００２３】
また、前記洗浄ノズルは、前記伸縮機構によって伸縮しながら、前記洗浄液を噴射することが、好ましい。
【００２４】
この構成によれば、洗浄ノズルの伸縮時においても、洗浄液を噴射することができるため、伸縮方向に亘って、洗浄液を広範囲に噴射することができる。
【００２５】
また、前記洗浄ノズルは、前記伸縮機構によって伸ばされた後、前記洗浄液を噴射することが、好ましい。
【００２６】
この構成によれば、洗浄ノズルが伸びた後、洗浄液を噴射することができるため、所定の洗浄箇所に洗浄液を集中的に噴射することができる。このため、静翼に汚れが強固に付着する場合であっても、静翼を好適に洗浄することができる。
【００２７】
また、前記伸縮機構により伸縮される前記洗浄ノズルの伸縮方向を回動軸として、前記洗浄ノズルを回転させるノズル回転機構を、さらに備えることが、好ましい。
【００２８】
この構成によれば、洗浄ノズルの噴射方向を変更することができるため、静翼に対する洗浄液の噴射方向を、適切な噴射方向に調整できる。このため、静翼に付着した汚れを効率良く除去することができる。
【図面の簡単な説明】
【００２９】
【図１】図１は、実施形態１に係る洗浄装置を備える多段軸流ブロアの断面図である。
【図２】図２は、実施形態１に係る洗浄装置を設けた動翼の斜視図である。
【図３】図３は、実施形態１に係る洗浄装置を設けた動翼の上面図である。
【図４】図４は、実施形態１に係る洗浄装置の構成を示す図である。
【図５】図５は、実施形態２に係る洗浄装置を設けた動翼の上面図である。
【図６】図６は、実施形態３に係る洗浄装置を設けた多段軸流ブロアの断面図である。
【図７】図７は、実施形態４に係る洗浄装置を設けた多段軸流ブロアの断面図である。
【発明を実施するための形態】
【００３０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００３１】
［実施形態１］
実施形態１に係る洗浄装置１０が適用されるターボ型流体機械としては、例えば、多段軸流ブロア１であり、多段軸流ブロア１は、複数段の動翼群と、複数段の静翼群とによって、流体としての空気を前流側（上流側）から後流側（下流側）へ向けて送風している。なお、実施形態１では、ターボ型流体機械として多段軸流ブロア１に適用して説明するが、多段軸流ブロア１に、特に限定されない。ターボ型流体機械としては、例えば、軸流流体機械、斜流流体機械に適用してもよく、動翼及び静翼を有する流体機械であれば、いずれであってもよい。ターボ型流体機械としては、例えば、ガスタービンの圧縮機またはタービン等にも適用可能である。
【００３２】
図１は、実施形態１に係る洗浄装置を備える多段軸流ブロアの断面図である。図２は、実施形態１に係る洗浄装置を設けた動翼の斜視図である。図３は、実施形態１に係る洗浄装置を設けた動翼の上面図である。図４は、実施形態１に係る洗浄装置の構成を示す図である。図１に示すように、多段軸流ブロア１は、ケーシング２と、回転軸３と、複数段の動翼群４と、複数段の静翼群５と、洗浄装置１０とを備えている。
【００３３】
ケーシング２は、回転軸３の軸方向に沿って延びる円筒形状に形成されており、軸方向の一方側（図１の左側）が前流側となっており、軸方向の他方側（図１の右側）が後流側となっている。そして、ケーシング２は、前流側における流路面積が大きく、後流側における流路面積が小さくなるように、前流側から後流側に向かって細くなるように形成される。このケーシング２の内部には、流体が流通する流通流路が形成される。
【００３４】
このケーシング２には、ケーシング２の内面にアクセス可能な点検孔２ａが形成され、また、この点検孔２ａを閉塞する点検蓋２ｂが取り付けられている。点検孔２ａは、所定の段の動翼群４と対向する位置に形成されており、後述する洗浄装置１０が動翼群４に取り付け可能な大きさに形成されている。
【００３５】
回転軸３は、ケーシング２の内部に設けられ、円柱形状に形成されている。この回転軸３は、ケーシング２との間で環状の流通流路を形成する。この回転軸３は、その軸方向が水平方向となっており、図示しない動力源によって回転させられる。
【００３６】
動翼群４は、回転軸３の軸方向において、所定の間隔を空けて複数段設けられている。なお、図１には、２段の動翼群４を図示している。各動翼群４は、回転軸３を中心として、周方向に所定の間隔を空けて設けられる複数の動翼７を有している。そして、複数の動翼７は、その基端部が回転軸３の外周面に取り付けられ、その先端部がチップクリアランスを空けてケーシング２に対向している。つまり、各動翼７は、回転軸３から径方向外側へ向かって延びて設けられ、複数の動翼７は、回転軸３を中心に放射状に設けられる。
【００３７】
静翼群５は、回転軸３の軸方向において、所定の間隔を空けて複数段設けられている。このとき、複数段の動翼群４及び複数段の静翼群５は、回転軸の軸方向に沿って、交互に配置される。なお、図１には、３段の静翼群５を図示しており、第１段（前流側の段）の静翼群５と第２段（中央部の段）の静翼群５との間に、第１段の動翼群４が配置され、第２段の静翼群５と最終段（後流側の段）の静翼群５との間に、最終段の動翼群４が配置されている。
【００３８】
各静翼群５は、回転軸３を中心として、周方向に所定の間隔を空けて設けられる複数の静翼８を有している。そして、複数の静翼８は、その基端部がケーシング２の内周面に取り付けられ、その先端部が隙間を空けて回転軸３に対向している。つまり、各静翼８は、ケーシング２から径方向内側へ向かって延びて設けられ、複数の静翼８は、回転軸３を中心に放射状に設けられる。
【００３９】
このような多段軸流ブロア１において、図示しない動力源により回転軸３が回転すると、複数段の動翼群４が周方向に回転することで、ケーシング２の前流側から空気を吸い込む。前流側から吸い込まれた空気は、ケーシング２の内部に形成される環状の流通流路を通過する。このため、環状の流通流路を通過する空気は、複数段の動翼群４及び静翼群５を通過することで昇圧され、昇圧された空気は、ケーシング２の後流側から送出される。
【００４０】
次に、図２から図４を参照して、洗浄装置１０について説明する。洗浄装置１０は、動翼群４の隣接する２つの動翼７の間に取り付けられ、動翼７に対して着脱自在となっている。実施形態１では、第１段の動翼群４に取り付ける場合について説明するが、洗浄装置１０は、動翼７に対して着脱自在となっていることから、他の段の動翼群４に取り付けてもよく、特に限定されない。
【００４１】
図２から図４に示すように、洗浄装置１０は、第１段の動翼群４に対向する、前流側の第１段の静翼群５及び後流側の第２段の静翼群５へ向けて洗浄液を噴射する。この洗浄装置１０は、洗浄ユニット１５と、取付部１６とを備えている。
【００４２】
洗浄ユニット１５は、隣接する２つの動翼７の間に収容可能な大きさに形成されている。この洗浄ユニット１５は、筐体２０と、洗浄液タンク２１と、洗浄液ポンプ２２と、洗浄ノズル２３と、伸縮機構２４と、ノズル回転機構２５と、バッテリ２６と、リモート信号受信部２７とを有している。
【００４３】
筐体２０は、箱状に形成されており、隣接する２つの動翼７の間に収容すべく、図３に示す上面図において、２つの動翼７の間の流路に沿う平行四辺形に形成されている。このため、筐体２０は、その延在する方向が、回転軸３の軸方向に対して斜めの方向となっている。この筐体２０は、径方向外側の面が上面２０ａ、径方向内側の面が下面２０ｂ、前流側の面が前流側側面２０ｃ、後流側の面が後流側側面２０ｄ、２つの動翼７にそれぞれ対向する両面が両側側面２０ｅ，２０ｆとなっている。
【００４４】
洗浄液タンク２１は、筐体２０の内部に設けられており、洗浄液を溜めている。
【００４５】
洗浄液ポンプ２２は、筐体２０の内部に設けられており、洗浄液タンク２１から、洗浄ノズル２３へ向けて、洗浄液を圧送する。この洗浄液ポンプ２２は、後述するバッテリ２６から供給される電力によって駆動すると共に、後述するリモート信号受信部２７によって受信されたポンプ制御信号に基づいて作動する。
【００４６】
洗浄ノズル２３は、筐体２０の前流側側面２０ｃ及び後流側側面２０ｄにそれぞれ設けられている。洗浄ノズル２３は、筐体２０から外部に突出して設けられており、前流側の静翼群５及び後流側の静翼群５に向けて洗浄液を噴射する。また、洗浄ノズル２３は、径方向に沿って所定の間隔を空けて複数並べて設けられており、図２では、３つの洗浄ノズル２３が径方向に並べて設けられる。この洗浄ノズル２３は、図３に示すように、その先端が、洗浄ノズル２３の長手方向に対して直交する方向に曲げられている。このため、洗浄ノズル２３は、静翼８の背側及び腹側に噴射可能となっている。ここで、静翼８の背側とは、周方向において、外側に凸となる低圧側であり、静翼８の腹側とは、周方向において、外側に凹となる高圧側である。そして、この洗浄ノズル２３は、洗浄液ポンプ２２から圧送された洗浄液を静翼群５へ向けて噴射する。
【００４７】
伸縮機構２４は、筐体２０の内部に設けられており、洗浄ノズル２３の長手方向を伸縮方向として、洗浄ノズル２３を伸縮させている。このとき、伸縮機構２４は、その伸縮方向が、筐体２０が延在する方向、すなわち、回転軸３の軸方向に対して斜めの方向となっている。つまり、洗浄ノズル２３の長手方向と、筐体２０が延在する方向と、伸縮機構２４の伸縮方向とは、同じ方向となっている。この伸縮機構２４は、後述するバッテリ２６から供給される電力によって駆動すると共に、後述するリモート信号受信部２７によって受信された伸縮制御信号に基づいて作動する。ここで、伸縮機構２４は、洗浄ノズル２３の先端部が、２つの静翼８の間の位置である洗浄位置となるように、洗浄ノズル２３を伸縮方向に伸ばしている。また、伸縮機構２４は、洗浄ノズル２３の先端部が、筐体２０の前流側側面２０ｃまたは後流側側面２０ｄの付近に位置する収容位置となるように、洗浄ノズル２３を伸縮方向に縮めている。なお、収容位置に位置する洗浄ノズル２３は、回転軸３の回転時において、静翼群５に接触しない位置となっている。
【００４８】
ノズル回転機構２５は、筐体２０の内部に設けられており、洗浄ノズル２３の伸縮方向を回動軸として、洗浄ノズル２３を回転させている。このノズル回転機構２５は、後述するバッテリ２６から供給される電力によって駆動すると共に、後述するリモート信号受信部２７によって受信された回転制御信号に基づいて作動する。ノズル回転機構２５は、回動軸を中心に洗浄ノズル２３を回転させることで、洗浄位置において、一方の静翼８の背側と、他方の静翼８の腹側とに、洗浄液を噴射することが可能となる。
【００４９】
バッテリ２６は、筐体２０の内部に設けられており、洗浄液ポンプ２２、伸縮機構２４及びノズル回転機構２５へ電力を供給する他、後述するリモート信号受信部２７へ電力を供給する。
【００５０】
リモート信号受信部２７は、筐体２０の内部に設けられ、洗浄装置１０の外部から送信された制御信号を無線通信を介して受信する。実施形態１において、リモート信号受信部２７は、洗浄液ポンプ２２を制御するポンプ制御信号の他、伸縮機構２４を制御する伸縮制御信号、及びノズル回転機構２５を制御する回転制御信号等の各種制御信号を受信する。そして、リモート信号受信部２７は、受信した制御信号を、洗浄液ポンプ２２、伸縮機構２４及びノズル回転機構２５へ向けて送信する。
【００５１】
取付部１６は、洗浄ユニット１５を２つの動翼７の間に取り付けている。この取付部１６は、筐体２０の両側側面２０ｅ，２０ｆに設けられており、前流側に位置する２つの前流側取付部１６ａと、後流側に位置する２つの後流側取付部１６ｂと、を有している。前流側取付部１６ａ及び後流側取付部１６ｂは、動翼７に取り付け可能であればどのような材質であってもよく、例えば、ゴム等の弾性部材により形成されていてもよい。
【００５２】
２つの前流側取付部１６ａは、２つの動翼７の前縁部をそれぞれ保持する。また、２つの後流側取付部１６ｂは、２つの動翼７の後縁部をそれぞれ保持する。つまり、一方の動翼７は、一方の前流側取付部１６ａと一方の後流側取付部１６ｂとにより保持され、他方の動翼７は、他方の前流側取付部１６ａと他方の後流側取付部１６ｂとにより保持される。このとき、２つの前流側取付部１６ａ及び２つの後流側取付部１６ｂは、２つの動翼７に取り付け可能であれば、動翼７との間に隙間が形成されていてもよい。
【００５３】
このように構成される洗浄装置１０を、２つの動翼７の間に取り付ける場合、先ず、ケーシング２に取り付けられた点検蓋２ｂを取り外し、点検孔２ａから、ケーシング２の内部に洗浄装置１０を挿入する。洗浄装置１０をケーシング２の内部に挿入すると、洗浄ユニット１５が、２つの動翼７の間に位置させ、この状態で取付部１６を、２つの動翼７に取り付ける。このように取り付けられた洗浄ユニット１５は、動翼７の径方向外側に位置する。洗浄装置１０の取付後、点検孔２ａを点検蓋２ｂで閉塞し、取付が完了する。
【００５４】
続いて、動翼群４に取り付けられた洗浄装置１０の洗浄動作について説明する。この洗浄装置１０は、洗浄ノズル２３の洗浄位置が、２つの静翼８の間に位置することから、静翼８を洗浄する度に、静翼１つ分だけ回転軸３を回転させて静翼８を洗浄し、また、回転軸３の回転時には、洗浄ノズル２３が静翼８に接触しないように、伸縮機構２４により縮められる。
【００５５】
具体的に、回転軸３を回転させて、洗浄ノズル２３の洗浄位置が２つの静翼８の間となる位置に、洗浄装置１０を移動させる。洗浄装置１０の移動後、回転軸３の回転を停止させ、洗浄装置１０による洗浄を開始する。このとき、回転軸３は、作業員が手動で回転させてもよいし、図示しない動力源により回転させてもよい。
【００５６】
洗浄装置１０による洗浄が開始されると、リモート信号受信部２７は、伸縮機構２４を制御する伸縮制御信号を受信し、伸縮機構２４は、伸縮制御信号に基づいて、洗浄ノズル２３を収容位置から洗浄位置まで伸ばす。この後、リモート信号受信部２７は、ノズル回転機構２５を制御する回転制御信号を受信し、ノズル回転機構２５は、洗浄ノズル２３を適宜回転させて、所定の噴射方向となるように調整する。続いて、リモート信号受信部２７は、洗浄液ポンプ２２を制御するポンプ制御信号を受信し、洗浄液ポンプ２２は、ポンプ制御信号に基づいて、洗浄液を洗浄液タンク２１から洗浄ノズル２３へ向けて圧送する。これにより、洗浄ノズル２３は、伸縮機構２４によって洗浄位置まで伸ばされた後、静翼７へ向けて洗浄液を噴射する。
【００５７】
洗浄ノズル２３から所定の噴射量となる洗浄液を噴射すると、リモート信号受信部２７は、ポンプ制御信号を受信し、洗浄液ポンプ２２は、ポンプ制御信号に基づいて、洗浄液の圧送を停止する。この後、リモート信号受信部２７は、伸縮制御信号を受信し、伸縮機構２４は、伸縮制御信号に基づいて、洗浄ノズル２３を洗浄位置から収容位置まで縮めて、洗浄装置１０による静翼１つ分の洗浄が終了する。そして、洗浄装置１０は、この洗浄動作を繰り返すことで、静翼群５の全周に亘って洗浄を実行する。
【００５８】
以上のように、実施形態１によれば、取付部１６により洗浄ユニット１５を動翼７に取り付け、回転軸３を回転させながら、洗浄ノズル２３から静翼群４に向けて洗浄液を噴射することで、静翼群４を全周に亘って洗浄することができる。このとき、伸縮機構２４により洗浄ノズル２３を適宜伸縮させることで、洗浄ノズル２３から噴射される洗浄液の噴射範囲を広げることができ、広範囲な洗浄が可能となる。
【００５９】
また、実施形態１によれば、隣接する静翼８の間にまで洗浄ノズル２３を伸ばすことができるため、洗浄液が届きにくい静翼８の部位にまで洗浄液を噴射することができ、より広範囲な洗浄を行うことができる。
【００６０】
また、実施形態１によれば、伸縮機構２４は、筐体２０が延在する方向に、洗浄ノズル２３を伸縮させることができるため、洗浄ノズル２３の伸縮方向を長くとることができ、洗浄ノズル２３をより遠くに伸ばすことができる。
【００６１】
また、実施形態１によれば、洗浄ノズル２３が伸びた後、洗浄液を噴射することができるため、所定の洗浄箇所に洗浄液を集中的に噴射することができる。このため、静翼８に汚れが強固に付着する場合であっても、静翼８を好適に洗浄することができる。
【００６２】
また、実施形態１によれば、ノズル回転機構２５により、洗浄ノズル２３の噴射方向を変更することができるため、静翼８に対する洗浄液の噴射方向を、適切な噴射方向に調整できる。このため、静翼８に付着した汚れを効率良く除去することができる。
【００６３】
なお、実施形態１では、洗浄ノズル２３が伸びた後、洗浄液を噴射したが、この構成に限定されない。洗浄ノズル２３は、伸縮機構２４によって伸縮ながら、洗浄液を噴射してもよい。この構成によれば、洗浄ノズル２３の伸縮時においても、洗浄液を噴射することができるため、伸縮方向に亘って、洗浄液をより広範囲に噴射することができる。
【００６４】
また、実施形態１において、伸縮機構２４は、洗浄ノズル２３を、２つの静翼８の間の洗浄位置まで伸ばしたが、この構成に限定されない。伸縮機構２４は、洗浄ノズル２３を、静翼８に接触しない位置まで伸ばしてもよい。この構成によれば、洗浄ノズル２３を、静翼８に接触しない位置まで伸ばすことができるため、広範囲な洗浄が可能となり、また、回転軸３を回転させても、洗浄ノズル２３が静翼８に接触しないことから、複数の静翼８を全周に亘って連続して洗浄することができる。
【００６５】
［実施形態２］
次に、図５を参照して、実施形態２に係る洗浄装置３０について説明する。図５は、実施形態２に係る洗浄装置を設けた動翼の上面図である。なお、実施形態２では、重複した記載を避けるべく、実施形態１と異なる部分について説明し、実施形態１と同様の構成である部分については、同じ符号を付して説明する。
【００６６】
実施形態２の洗浄装置３０は、実施形態１の洗浄装置１０の洗浄ノズル２３を、回転軸３の軸方向に伸縮させている。
【００６７】
図５に示すように、伸縮機構２４は、例えば、テレスコピック式の伸縮機構であり、洗浄ノズル２３を回転軸３の軸方向に伸縮させている。このとき、洗浄ノズル２３の長手方向も、回転軸３の軸方向となっている。このため、洗浄ノズル２３の長手方向と、伸縮機構２４の伸縮方向とは同じ方向となっている。
【００６８】
以上のように、実施形態２によれば、伸縮機構２４は、回転軸３の軸方向に沿った方向に洗浄ノズル２３を伸縮させることができる。
【００６９】
［実施形態３］
次に、図６を参照して、実施形態３に係る洗浄装置４０について説明する。図６は、実施形態３に係る洗浄装置を設けた多段軸流ブロアの断面図である。なお、実施形態３でも、重複した記載を避けるべく、実施形態１及び２と異なる部分について説明し、実施形態１及び２と同様の構成である部分については、同じ符号を付して説明する。
【００７０】
実施形態３の洗浄装置４０において、伸縮機構２４は、複数の洗浄ノズル２３の収容位置に比して、洗浄位置に位置する複数の洗浄ノズル２３が、静翼８の径方向において広がるように伸縮させている。
【００７１】
図６に示すように、洗浄ユニット１５は、動翼７の径方向外側に取り付けられる。このため、伸縮機構２４は、径方向外側に位置する洗浄ノズル２３を、静翼８の径方向外側に位置するように、回転軸３の軸方向に伸縮させる。また、伸縮機構２４は、径方向中央に位置する洗浄ノズル２３を、静翼８の径方向中央に位置するように、回転軸３側へ向かう方向に伸縮させる。さらに、伸縮機構２４は、径方向内側に位置する洗浄ノズル２３を、静翼８の径方向内側に位置するように、径方向中央に位置する洗浄ノズル２３に比して、回転軸３側へ向かう方向に伸縮させる。このように伸縮機構２４は、複数の洗浄ノズル２３が広がるように、複数の洗浄ノズル２３の伸縮方向を異なる方向としている。
【００７２】
以上のように、実施形態３によれば、収容位置から洗浄位置にかけて、複数の洗浄ノズル２３が広がるように伸びることで、静翼８の径方向において、洗浄液を広範囲に噴射することができる。
【００７３】
なお、実施形態３では、洗浄ユニット１５が動翼７の径方向外側に取り付けられていることから、複数の洗浄ノズル２３を、図６に示す伸縮方向に伸縮させたが、洗浄ユニット１５の取り付け位置に応じて、複数の洗浄ノズル２３の伸縮方向を、適宜変更してもよい。
【００７４】
［実施形態４］
次に、図７を参照して、実施形態４に係る洗浄装置５０について説明する。図７は、実施形態４に係る洗浄装置を設けた多段軸流ブロアの断面図である。なお、実施形態４でも、重複した記載を避けるべく、実施形態１から３と異なる部分について説明し、実施形態１から３と同様の構成である部分については、同じ符号を付して説明する。
【００７５】
実施形態４の洗浄装置５０は、図７に示すように、筐体２０の下面２０ｂに洗浄ノズル２３をさらに設け、伸縮機構２４は、下面２０ｂに設けた洗浄ノズル２３を、静翼８の径方向内側に伸縮させている。このとき、伸縮機構２４は、洗浄ノズル２３を、径方向及び軸方向に伸縮可能な構成となっている。
【００７６】
以上のように、実施形態４によれば、洗浄ユニット１５の筐体２０の下面２０ｂから、洗浄ノズル２３を伸ばすことができるため、静翼８の径方向内側に洗浄液を噴射することができる。
【００７７】
なお、筐体２０の下面２０ｂに設けられる洗浄ノズル２３は、その長手方向が、静翼８の径方向内側に向かう斜めの方向としてもよい。この場合、伸縮機構２４は、洗浄ノズル２３の長手方向に沿って伸縮させることで、洗浄ノズル２３を筐体２０の下面２０ｂから、静翼８の径方向内側に位置させてもよい。
【符号の説明】
【００７８】
１  多段軸流ブロア
２  ケーシング
２ａ  点検孔
２ｂ  点検蓋
３  回転軸
４  動翼群
５  静翼群
７  動翼
８  静翼
１０  洗浄装置
１５  洗浄ユニット
１６  取付部
２０  筐体
２０ａ  上面
２０ｂ  下面
２０ｃ  前流側側面
２０ｄ  後流側側面
２０ｅ，２０ｆ  両側側面
２１  洗浄液タンク
２２  洗浄液ポンプ
２３  洗浄ノズル
２４  伸縮機構
２５  ノズル回転機構
２６  バッテリ
２７  リモート信号受信部
３０  洗浄装置（実施形態２）
４０  洗浄装置（実施形態３）
５０  洗浄装置（実施形態４）
【図１】
2016196839.tif 000003
【図２】
2016196839.tif 000004
【図３】
2016196839.tif 000005
【図４】
2016196839.tif 000006
【図５】
2016196839.tif 000007
【図６】
2016196839.tif 000008
【図７】
2016196839.tif 000009